(57)【要約】【課題】天井や壁面に打設されたコンクリートを養生するにあたり、そのコンクリート打設面への敷設が容易で、かつ、敷設した後もコンクリート打設面に水を追加供給することができるコンクリート用養生シート及びそのようなコンクリート用養生シートを利用したコンクリートの養生方法を提供する。【解決手段】コンクリート打設面に敷設して使用されるコンクリート用養生シート１ａであり、コンクリート打設面に敷設した際に、コンクリート打設面との間に所定の空隙を形成する凹凸面を有する凹凸シート部２と、凹凸シート部２の少なくとも対向する一組の端縁に延在して設けられた薄肉フィルム部３とを備える。【選択図】      図１
2011202436.tif 000002
【特許請求の範囲】
【請求項１】
打設されたコンクリートを養生するために、コンクリート打設面に敷設して使用されるコンクリート用養生シートであって、
前記コンクリート打設面に敷設した際に、前記コンクリート打設面との間に所定の空隙を形成する凹凸面を有する凹凸シート部と、
前記凹凸シート部の少なくとも対向する一組の端縁に延在して設けられ、かつ、前記コンクリート打設面に密着可能な薄肉フィルム部と、
を備えることを特徴とするコンクリート用養生シート。
【請求項２】
前記薄肉フィルム部の平均肉厚が、５〜１００μｍである請求項１に記載のコンクリート用養生シート。
【請求項３】
前記凹凸シート部が、中空状に膨出する多数の突起を規則的に配列してなる凹凸面を有し、前記突起の頂面が前記コンクリート打設面と対向するように敷設される請求項１又は２に記載のコンクリート用養生シート。
【請求項４】
前記凹凸シート部が、前記突起が成形されたキャップフィルムに、前記突起内に空気を封入するバックフィルムが積層された長尺状の気泡シートからなる請求項３に記載のコンクリート用養生シート。
【請求項５】
前記凹凸シート部に、給水孔及び／又は排水孔を穿設した請求項１〜４のいずれか一項に記載のコンクリート用養生シート。
【請求項６】
前記凹凸シート部の端縁に、前記薄肉フィルム部と重なるように、前記コンクリート打設面との間に所定の空隙を形成する凹凸面を有する複数の延設凹凸部を連接して設けた請求項１〜５のいずれか一項に記載のコンクリート用養生シート。
【請求項７】
前記薄肉フィルム部に多数の穿孔を設けるとともに、前記薄肉フィルム部を折り返して前記凹凸面に重ねて貼り合わせた請求項１〜５のいずれか一項に記載のコンクリート用養生シート。
【請求項８】
前記凹凸シート部の四方に前記薄肉フィルム部を設けた請求項１〜７のいずれか一項に記載のコンクリート用養生シート。
【請求項９】
請求項１〜６のいずれか一項に記載のコンクリート用養生シートを、前記凹凸シート部が連接するようにしてコンクリート打設面に複数敷設し、
始端側に敷設された前記コンクリート養生シートの前記凹凸シート部に吸水孔を穿設するとともに、終端側に敷設された前記コンクリート養生シートの前記凹凸シート部に排水孔を穿設して、前記吸水孔と前記排水孔とをポンプを介して接続することにより、
前記吸水孔から供給された水が、前記排水孔から排水されて再び前記吸水口から供給されて、前記空隙内を循環するようにしたことを特徴とするコンクリートの養生方法。
【請求項１０】
請求項８に記載のコンクリート用養生シートをコンクリート打設面に敷設し、
前記凹凸シート部に吸水孔と排水孔を穿設して、前記吸水孔と前記排水孔とをポンプを介して接続することにより、
前記吸水孔から供給された水が、前記排水孔から排水されて再び前記吸水口から供給されて、前記空隙内を循環するようにしたことを特徴とするコンクリートの養生方法。
【発明の詳細な説明】
【技術分野】
【０００１】
本発明は、打設されたコンクリートを養生するために、コンクリート打設面に敷設して使用されるコンクリート用養生シート及びそのようなコンクリート用養生シートを利用したコンクリートの養生方法に関する。
【背景技術】
【０００２】
打設したコンクリートが、十分な水和反応がなされないうちに急速に乾いてしまうと、その耐久性が低下するなどの不具合が生じてしまう。このため、建築工事や土木工事などの現場でコンクリートを打設した後には、通常、コンクリート打設面に散水するとともに、養生シートで覆ってコンクリートが急速に乾いてしまうのを防止している。
本出願人のうち一人は、このような養生シートとして、現場での作業性がよく、保温性にも優れた安価なコンクリート用養生シートを先に提案した（特許文献１）。
【先行技術文献】
【特許文献】
【０００３】
【特許文献１】実開平６−６５５５８号公報
【発明の概要】
【発明が解決しようとする課題】
【０００４】
しかしながら、特許文献１のコンクリート用養生シートをはじめとする従来の養生シートは、床面に打設されたコンクリートを養生する場合には、そのまま床面に敷設するだけでよいが（特許文献１の図１０参照）、天井や壁面に打設されたコンクリートに対しては、支持材を用いてコンクリート打設面に密着させなければならず（特許文献１の図１１参照）、その作業性に改善の余地があった。
【０００５】
また、打設したコンクリートの耐久性を向上させるには、できるだけ長期にわたってコンクリートが濡れている状態を維持して、水和反応が十分になされるようにするのが好ましい。
しかしながら、従来の養生シートでは、養生シートを敷設した後のコンクリート打設面に水を追加供給することができず、はじめに散水した水が乾いてしまうまでの間しかコンクリートを濡れた状態にしておくことができなかった。
【０００６】
本発明は、上記の事情にかんがみなされたものであり、天井や壁面に打設されたコンクリートを養生するにあたり、そのコンクリート打設面への敷設が容易で、かつ、敷設した後もコンクリート打設面に水を追加供給することができるコンクリート用養生シート及びそのようなコンクリート用養生シートを利用したコンクリートの養生方法の提供を目的とする。
【課題を解決するための手段】
【０００７】
本発明に係るコンクリート用養生シートは、打設されたコンクリートを養生するために、コンクリート打設面に敷設して使用されるコンクリート用養生シートであって、前記コンクリート打設面に敷設した際に、前記コンクリート打設面との間に所定の空隙を形成する凹凸面を有する凹凸シート部と、前記凹凸シート部の少なくとも対向する一組の端縁に延在して設けられ、かつ、前記コンクリート打設面に密着可能な薄肉フィルム部と、を備える構成としてある。
【０００８】
また、本発明に係るコンクリートの養生方法は、上記したようなコンクリート用養生シートを、前記凹凸シート部が連接するようにしてコンクリート打設面に複数敷設し、始端側に敷設された前記コンクリート養生シートの前記凹凸シート部に吸水孔を穿設するとともに、終端側に敷設された前記コンクリート養生シートの前記凹凸シート部に排水孔を穿設して、前記吸水孔と前記排水孔とをポンプを介して接続することにより、前記吸水孔から供給された水が、前記排水孔から排水されて再び前記吸水口から供給されて、前記空隙内を循環するようにした方法としてある。
【０００９】
また、本発明に係るコンクリートの養生方法は、上記したようなコンクリート用養生シートの前記凹凸シート部の四方に前記薄肉フィルム部を設け、このようなコンクリート用養生シートをコンクリート打設面に敷設し、前記凹凸シート部に吸水孔と排水孔を穿設して、前記吸水孔と前記排水孔とをポンプを介して接続することにより、前記吸水孔から供給された水が、前記排水孔から排水されて再び前記吸水口から供給されて、前記空隙内を循環するようにした方法とすることもできる。
【発明の効果】
【００１０】
本発明のコンクリート用養生シートは、天井や壁面に打設されたコンクリートに対しても、そのコンクリート打設面に容易に敷設することができ、さらに、敷設した後もコンクリート打設面に水を追加供給することができる。そして、このようなコンクリート用養生シートを利用した本発明のコンクリートの養生方法によれば、コンクリート打設面が常に濡れた状態とすることができ、打設されたコンクリートの水和反応を十分なものとして、コンクリートの耐久性を向上させることが可能になる。
【図面の簡単な説明】
【００１１】
【図１】本発明に係るコンクリート用養生シートの第一実施形態を示す説明図である。
【図２】本発明に係るコンクリート用養生シートの第一実施形態の変形例を示す説明図である。
【図３】本発明に係るコンクリート用養生シートの第一実施形態をコンクリート打設面に敷設する例を示す説明図である。
【図４】本発明に係るコンクリート用養生シートの第二実施形態を示す説明図である。
【図５】本発明に係るコンクリート用養生シートの第二実施形態を示す説明図である。
【図６】本発明に係るコンクリート用養生シートの第三実施形態を示す説明図である。
【発明を実施するための形態】
【００１２】
以下、本発明の好ましい実施形態について、図面を参照しつつ説明する。
【００１３】
［第一実施形態］
まず、本発明に係るコンクリート用養生シートの第一実施形態について説明する。
なお、図１は、本実施形態に係るコンクリート用養生シートを示す説明図であり、図１（ａ）は、本実施形態に係るコンクリート用養生シートの概略を示す平面図、図１（ｂ）は、図１（ａ）のＡ−Ａ断面図である。
【００１４】
図１に示す養生シート１ａは、打設されたコンクリートを養生するために、コンクリート打設面に敷設して使用されるものである。そして、コンクリート打設面に敷設した際に、コンクリート打設面との間に所定の空隙を形成する凹凸面を有する凹凸シート部２と、この凹凸シート部２の対向する一組の端縁２ａ，２ｂに延在して設けられ、かつ、コンクリート打設面に密着可能な薄肉フィルム部３とを備えている。
【００１５】
凹凸シート部２は、中空状に膨出する多数の突起２０を規則的に配列してなる凹凸面を有している。そして、突起２０の頂面がコンクリート打設面と対向するように養生シート１ａを敷設することで、コンクリート打設面との間に所定の空隙が形成されるようになっている。
このような凹凸シート部２は、例えば、図１（ｂ）に示すように、中空状に膨出する多数の突起２０が成形されたキャップフィルム２１に、突起２０内に空気を封入するバックフィルム２２が積層された長尺状の気泡シートからなるものとすることができる。突起２０内に空気が封入された気泡シートを用いて凹凸シート部２を形成すれば、養生シート１ａに断熱性を付与することができる。
【００１６】
また、図1に示す例において、薄肉フィルム部３は、薄肉のフィルム材を凹凸シート部２に所定の幅Ｗｍで重ねて熱融着することによって設けられている。このときの幅Ｗｍは、十分な融着代が確保できるように適宜設定されるが、好ましくは１０〜５００ｍｍである。この薄肉フィルム部３の肉厚は、濡れたコンクリート打設面に薄肉フィルム部３を添わせたときに、コンクリート打設面の表面形状に追随して密着し、コンクリート打設面と薄肉フィルム部３との間に空気が入り込まないようにすることができる程度の厚みとされ、具体的には、薄肉フィルム部３の平均肉厚を５〜１００μｍとするのが好ましい。
なお、濡れたコンクリート打設面に薄肉フィルム部３が密着するのは、薄肉フィルム部３が水の表面張力によってコンクリート打設面に貼りつくとともに、コンクリート打設面と薄肉フィルム部３との間から空気が抜かれて負圧になり、大気圧によって薄肉フィルム部３がコンクリート打設面に押しつけられて密着するものと考えられる。
【００１７】
本実施形態の養生シート１ａは、凹凸シート部２の端縁２ａ，２ｂに延在して設けられた薄肉フィルム部３が、濡れたコンクリート打設面に密着するのを利用して、天井や壁面に打設されたコンクリートに対しても、そのコンクリート打設面に容易に敷設することができる。
【００１８】
凹凸シート部２の端縁２ａ，２ｂに延在して設けられる薄肉フィルム部3の幅Wは、天井や壁面に打設されたコンクリートの打設面に養生シート１ａを敷設したときに、養生シート１ａが自重で垂れ下がろうとする力よりも、薄肉フィルム部３がコンクリート打設面に密着して養生シート１ａを保持しようとする力の方が大きくなるように、上記二つの力のバランスを考慮して、コンクリート打設面に密着する薄肉フィルム部３の面積が十分に確保できるように適宜設定することができる。例えば、凹凸シート部２の幅Ｗ０が１０００〜３０００ｍｍ程度である場合には、薄肉フィルム部3の幅Wは、１００〜３００ｍｍであるのが好ましい。
なお、図１に示す例では、薄肉フィルム部３の幅Ｗは、端縁２ａ側と端縁２ｂ側とで等しくしているが、必要に応じて、端縁２ａ側と端縁２ｂ側とで薄肉フィルム部３の幅Ｗを異ならせてもよい。
【００１９】
また、薄肉フィルム部３は、そのコンクリート打設面への密着力によって養生シート１ａを保持できるように、凹凸シート部２の少なくとも対向する一組の側端縁に設けられていればよいが、図２に示すように、凹凸シート部２の四方に薄肉フィルム部３を設けることもできる。
このようにすると、四方に設けた薄肉フィルム部３がコンクリート打設面に密着することにより、養生シート１ａを四方から保持できるとともに、凹凸シート部２とコンクリート打設面との間に形成される空隙を気密にすることができる。そして、気密にされた当該空隙から空気を抜いて凹凸シート部２とコンクリート打設面との間を負圧にすれば、凹凸シート部２もコンクリート打設面に密着するようになり、これによって、コンクリート打設面から養生シート１ａが脱落してしまうのをより確実に防止することができる。
なお、凹凸シート部２とコンクリート打設面との間に形成される空隙から空気を抜くには、凹凸シート部２に空気抜き用の孔を穿設しておけばよいが、後述するような吸水口５や排水孔６を利用するのが好ましい。
【００２０】
ここで、濡れたコンクリート打設面に薄肉フィルム部３が密着することを利用して養生シート１ａを敷設しただけでは、コンクリート打設面が乾いていくにしたがって薄肉フィルム３が経時的に剥がれていってしまうことが考えられる。これに対して、コンクリート打設面との間を負圧にして凹凸シート部２を密着させておけば、コンクリート打設面が乾いても養生シート１ａが脱落してしまうことがない。
本実施形態の養生シート１ａは、コンクリート打設面に密着可能な薄肉フィルム部３によって、凹凸シート部２とコンクリート打設面との間に形成される空隙を気密にすることができれば、当該空隙から空気を抜いて凹凸シート部２とコンクリート打設面との間を負圧にするだけでも、養生シート１ａをコンクリート打設面に敷設することができる。
【００２１】
このとき、本実施形態の養生シート１ａは、凹凸シート部２の四方に薄肉フィルム部３を設けなくても、複数の養生シート１ａを、その端縁側を適宜重ねてコンクリート打設面に敷設していったり、薄肉フィルム部３が設けられていない辺に別のフィルム材を重ねて敷設したりすることで、凹凸シート部２とコンクリート打設面との間に形成される空隙を気密にすることもできる。
【００２２】
ここで、複数の養生シート１ａをコンクリート打設面に敷設する例を図３に示す。
なお、図３（ａ）は、コンクリート打設面に敷設する前の状態を示し、図３（ｂ）は、コンクリート打設面に敷設した状態を示している。図３では、凹凸シート部２の三方に薄肉フィルム部３を設けた複数の養生シート１ａと、凹凸シート部２の四方に薄肉フィルム部３を設けた一つの養生シート１ａを用いた例を示しているが、養生シート１ａの使用態様はこれに限定されるものではない。
【００２３】
図３に示す例では、図中左側に位置する養生シート１ａの右端縁側に、その右隣に位置する養生シート１ａの薄肉フィルム部３が上に重なるようにするとともに、図中左側に位置する養生シート１ａの凹凸シート部２の右端縁と、その右隣に位置する養生シート１ａの凹凸シート部２の左端縁とを突き当てて、各養生シート１ａの凹凸シート部２が連接するようにして、各養生シート１ａを敷設している。
なお、特に図示しないが、隣接して敷設された養生シート１ａどうしは、必要に応じて粘着テープなどによって固定するようにしてもよい。また、それぞれの養生シート１ａは、通常、ロール条に巻き取られた形態で作業現場に搬入され、コンクリート打設面に沿って巻き出しながら敷設される。その際、図３に示す例では、図中上下方向が養生シート１ａの巻き出し方向となるが、作図上、図中上下方向における各養生シート１ａの長さは短縮して示してある。
【００２４】
このようにして養生シート１ａをコンクリート打設面に敷設することによっても、凹凸シート部２とコンクリート打設面との間に形成される空隙を気密にすることができ、前述したのと同様にして、気密にされた当該空隙から空気を抜いて凹凸シート部２とコンクリート打設面との間を負圧にすれば、凹凸シート部２をコンクリート打設面に密着させて、コンクリート打設面から養生シート１ａが脱落してしまうのをより確実に防止することができる。
【００２５】
また、凹凸シート部２とコンクリート打設面との間の空隙を気密にすることで、当該空隙を通水路として機能させることもできる。このようにすることで、養生シート１ａを敷設した後も、コンクリート打設面に水を追加供給することが可能となる。
【００２６】
図３に示す例では、図中最も左側（始端側）に敷設された養生シート１ａの凹凸シート部２に給水孔５が穿設されており、図中最も右側（終端側）に敷設された養生シート１ａの凹凸シート部２には排水孔６が穿設されている。そして、吸水孔５と排水孔６とを図示しないポンプを介して接続することで、吸水孔５から供給された水が、排水孔６から排水されて再び吸水口５から供給されて、凹凸シート部２とコンクリート打設面との間に形成された空隙内を循環するようにしている。
このようにすることで、コンクリート打設面が常に濡れた状態とすることができ、打設されたコンクリートの水和反応を十分なものとして、コンクリートの耐久性を向上させることが可能になる。
【００２７】
なお、凹凸シート２に用いる気泡シートに成形される突起２０の形状は、一般に、円柱状又は円錐台状とされる。コンクリート打設面に水を追加供給する際には、凹凸シート部２とコンクリート打設面との間に形成された空隙に、十分な量の水をまんべんなく循環させることが望まれることから、突起２０の形状は、コンクリート打設面との接触面積を小さくするとともに、通水量を多くすることができる円錐台状とするのが好ましい。
【００２８】
また、特に図示しないが、凹凸シート部２の四方に薄肉フィルム部３を設けた養生シート１ａを単独でコンクリート打設面に敷設する場合には、凹凸シート部２に吸水口と排水孔とを穿設して、ポンプを介してこれらを接続することで、吸水孔から供給された水が、排水孔６から排水されて再び吸水口５から供給されるようにして、凹凸シート部２とコンクリート打設面との間に形成された空隙内を循環するようにすることができるのはいうまでもない。さらに、上記したようにして単独で敷設された養生シート１ａがコンクリート打設面に複数列設されるようにし、これらによってコンクリートを養生するようにしてもよい。
【００２９】
以上のような養生シート１ａは、その材料樹脂として、例えば、ポリプロピレン系樹脂、ポリエチレン系樹脂などのポリオレフィン系樹脂を単独で、又は二種以上を混合したものを用いて形成することができる。
ポリプロピレン系樹脂としては、例えば、プロピレンホモポリマー、又はプロピレンと他のオレフィンとの共重合体などが例示できる。プロピレンと共重合される他のオレフィンとしては、エチレン、ブテン−１、イソブチレン、ペンテン−１などのα−オレフィンが挙げられ、これらの他のオレフィンとの共重合体は、ランダム共重合体、ブロック共重合体のいずれであってもよい。
また、ポリエチレン系樹脂としては、例えば、高密度ポリエチレン（ＨＤＰＥ）、低密度ポリエチレン（ＬＤＰＥ）、直鎖状低密度ポリエチレン（ＬＬＤＰＥ）、直鎖状超低密度ポリエチレン（ＬＶＬＤＰＥ）、エチレン−酢酸ビニル共重合体などが例示できる。
【００３０】
［第二実施形態］
次に、本発明に係るコンクリート用養生シートの第二実施形態について説明する。
なお、図４及び図５は、本実施形態に係るコンクリート用養生シートを示す説明図であり、図４は、本実施形態に係るコンクリート用養生シートの概略を示す平面図、図５（ａ）は、図４において鎖線で囲む部分の要部拡大図、図５（ｂ）は、図５（ａ）のＢ−Ｂ断面図、図５（ｃ）は、図５（ａ）のＣ−Ｃ断面図である。
【００３１】
本実施形態の養生シート１ｂにあっては、図４及び図５に示すように、凹凸シート部２の端縁に、薄肉フィルム部３と重なるように、コンクリート打設面との間に所定の空隙を形成する凹凸面を有する複数の延設凹凸部２ａを連接して設けている。
【００３２】
このようにすることで、コンクリート打設面に養生シート１ｂを敷設するに際し、凹凸シート部２とコンクリート打設面との間を負圧にして凹凸シート部２をコンクリート打設面に密着させたときに、延設凹凸部２ａもコンクリート打設面に密着するようになる。その結果、コンクリート打設面に対する薄肉フィルム部３の密着性を高めて、養生シート１ｂがコンクリート打設面からより脱落し難くなるようにすることが可能になる。
また、コンクリート打設面との間に形成される空隙を通水路として機能させる場合には、延設凹凸部２ａとコンクリート打設面との間にも水を追加供給することができるようになる。
【００３３】
延設凹凸部２ａは、養生シート１ｂをコンクリート打設面に敷設するに際して、凹凸シート部２とコンクリート打設面との間との間に形成される空隙と、延設凹凸部２ａとコンクリート打設面との間との間に形成される空隙とが連通し、凹凸シート部２とコンクリート打設面との間を負圧にしたときに、これとともに、延設凹凸部２ａとコンクリート打設面との間も負圧とすることができるようになっていれば、その具体的な形態は特に限定されない。
例えば、凹凸シート部２を第一実施形態と同様の気泡シートを用いて形成する場合、気泡シートの端縁を櫛歯状に切り抜くことにより、凹凸シート部２と一体に延設凹凸部２ａを形成し、当該延設凹凸部２ａに重ねて薄肉フィルム部３を形成する薄肉のフィルム材を熱融着するようにしてもよい。また、上記気泡シートを適当な大きさで切断したものを、接着剤や両面テープなどの適宜手段によって薄肉フィルム部３に貼り付けるようにしてもよい。
なお、図4及び図５には、後者の例を示している。
【００３４】
また、複数の延設凹凸部２ａを凹凸シート部２の端縁に連接して設けるにあたり、延設凹凸部２ａを設ける間隔や、延設凹凸部２ａの大きさは、薄肉フィルム部３が濡れたコンクリート打設面に密着するのを妨げないように適宜設定することができる。例えば、延設凹凸部２ａを図５に示すような矩形状とした場合、その幅Ｗ１は、３０〜５０ｍｍ程度とするのが好ましく、延設凹凸部２ａを設ける間隔Ｌ１は、１００〜５００ｍｍ程度とするのが好ましい。さらに、薄肉フィルム部３の端縁から延設凹凸部２ａまでの距離Ｌ２は、延設凹凸部２ａとコンクリート打設面との間に形成される空隙への空気の侵入を阻止できるのに十分な長さを確保するものとし、少なくとも２０ｍｍ程度の長さが確保されるようにするのが好ましい。
なお、それぞれの延設凹凸部２ａの形状や大きさは、上記した範囲で必要に応じて適宜異ならせることができる。
【００３５】
本実施形態は、上記の点で第一実施形態と異なるが、それ以外は第一実施形態と同様の構成を備えているので、他の構成についての詳細な説明は省略する。
【００３６】
［第三実施形態］
次に、本発明に係るコンクリート用養生シートの第三実施形態について説明する。
なお、図６は、本実施形態に係るコンクリート用養生シートを示す説明図であり、図６（ａ）は、本実施形態に係るコンクリート用養生シートの概略を示す平面図、図６（ｂ）は、図６（ａ）のＤ−Ｄ断面図である。
【００３７】
本実施形態の養生シート１ｃにあっては、図６に示すように、薄肉フィルム部３に多数の穿孔３ａを設けるとともに、この薄肉フィルム部３を折り返して凹凸シート部２の凹凸面に重ねて貼り合わせている。
なお、折り返された薄肉フィルム部３を凹凸シート部２の凹凸面に貼り合わせるにあたっては、特に図示しないが、接着剤や両面テープなどの適宜手段により、薄肉フィルム部３の周縁を当該凹凸面に貼り合わせるようにすればよい。
【００３８】
このような態様とした場合であっても、前述した第一実施形態と同様に、薄肉フィルム部３が、濡れたコンクリート打設面に密着するのを利用して、天井や壁面に打設されたコンクリートに対しても、そのコンクリート打設面に養生シート１ｃを容易に敷設することができる。
【００３９】
また、本実施形態にあっては、凹凸シート部２の四方に薄肉フィルム部３を設け、それぞれの薄肉フィルム３を折り返して凹凸シート部２の凹凸面に重ねて貼り合わせるようにして、養生シート１ｃを単独でコンクリート打設面に敷設した場合であっても、凹凸シート部２とコンクリート打設面との間に形成される空隙を気密にできるようにするのが好ましい。
【００４０】
このような態様とすれば、凹凸シート部２に穿設した吸水口と排水孔とをポンプを介して接続して、コンクリート打設面との間に形成される空隙を通水路として機能させて、コンクリート打設面に水を追加供給する場合に、養生シート１ｃが敷設された面のほぼ全てにわたって水を追加供給することが可能になる。
ここで、薄肉フィルム部３に多数の穿孔３ａを設けるのは、凹凸シート部２とコンクリート打設面との間に薄肉フィルム部３が存在することが、凹凸シート部２とコンクリート打設面との間を負圧にして、凹凸シート部２をコンクリート打設面に密着させることの妨げにならないようにするためであるが、穿孔３ａを設けることによって、コンクリート打設面に薄肉フィルム部３が密着している範囲に、この穿孔３ａを通って水が供給されるようにすることが可能になる。
【００４１】
なお、本実施形態の養生シート１ｃは、例えば、前述した第一実施形態の養生シート１ａと組み合わせて、図３に示す例と同様にしてコンクリート打設面に敷設すれば、凹凸シート部２の四方に薄肉フィルム部３を設けなくても、凹凸シート部２とコンクリート打設面との間に形成される空隙を気密にすることができる。
【００４２】
本実施形態は、上記の点で第一実施形態と異なるが、それ以外は第一実施形態と同様の構成を備えているので、他の構成についての詳細な説明は省略する。
なお、本実施形態の養生シート１ｃは、第一実施形態の図２に示す養生シート１ａの薄肉フィルム部３に多数の穿孔を設けて、この薄肉フィルム部３を折り返して凹凸シート部２の凹凸面に重ねて貼り合わせたものに相当する。
【００４３】
以上、本発明について、好ましい実施形態を示して説明したが、本発明は、前述した実施形態にのみ限定されるものではなく、本発明の範囲で種々の変更実施が可能であることは言うまでもない。
【００４４】
例えば、前述した実施形態では、凹凸シート部２として、中空状に膨出する多数の突起２０が成形されたキャップフィルム２１に、突起２０内に空気を封入するバックフィルム２２が積層された長尺状の気泡シートからなるものとした例を示したが、凹凸シート部２は、コンクリート打設面との間に所定の空隙を形成する凹凸面を有していれば、その具体的な形態は限定されない。図１（ｂ）に示す気泡シートの例において、キャップフィルム２１が、バックフィルム２２がなくても突起２０の形状が維持できる程度の剛性を有していれば、バックフィルム２２を省略して凹凸シート部２を形成することもできる。
【００４５】
また、本発明者らは、特願２００９−１２２６８号において、コンクリートの養生装置と養生方法を先に提案した。本発明に係るコンクリート用養生シートは、当該装置及び方法に準じてコンクリートを養生するにあたり、当該装置及び方法における養生シート、ラップシート及び末端シートの代替品として供することもできる。このとき、上記末端シートに設置した吸引口の代わりとなる孔を、前述した実施形態における吸水口５や排水孔６のように、本発明に係るコンクリート用養生シートの凹凸シート部に直接穿設することができる。
【産業上の利用可能性】
【００４６】
本発明は、打設されたコンクリートを養生するための技術として利用することができる。
【符号の説明】
【００４７】
１ａ，１ｂ，１ｃ  養生シート
２              凹凸シート部
２ａ            延設凹凸部
２０            突起
２１            キャップフィルム
２２            バックフィルム
３              薄肉フィルム部
３ａ            穿孔
５              給水孔
６              排水孔
【図１】
2011202436.tif 000003
【図２】
2011202436.tif 000004
【図３】
2011202436.tif 000005
【図４】
2011202436.tif 000006
【図５】
2011202436.tif 000007
【図６】
2011202436.tif 000008
【手続補正書】
【提出日】平成22年6月15日(2010.6.15)
【手続補正１】
【補正対象書類名】特許請求の範囲
【補正対象項目名】請求項１
【補正方法】変更
【補正の内容】
【請求項１】
打設されたコンクリートを養生するために、コンクリート打設面に敷設して使用されるコンクリート用養生シートであって、
前記コンクリート打設面に敷設した際に、前記コンクリート打設面との間に所定の空隙を形成する凹凸面を有する凹凸シート部と、
前記凹凸シート部の少なくとも対向する一組の端縁に延在して設けられた薄肉フィルム部と、
を備え、
前記薄肉フィルム部が、前記端縁に沿って前記空隙を気密にすることができるように、前記コンクリート打設面に密着可能としたことを特徴とするコンクリート用養生シート。
【手続補正２】
【補正対象書類名】明細書
【補正対象項目名】０００８
【補正方法】変更
【補正の内容】
【０００８】
本発明に係るコンクリート用養生シートは、打設されたコンクリートを養生するために、コンクリート打設面に敷設して使用されるコンクリート用養生シートであって、前記コンクリート打設面に敷設した際に、前記コンクリート打設面との間に所定の空隙を形成する凹凸面を有する凹凸シート部と、前記凹凸シート部の少なくとも対向する一組の端縁に延在して設けられた薄肉フィルム部と、を備え、前記薄肉フィルム部が、前記端縁に沿って前記空隙を気密にすることができるように、前記コンクリート打設面に密着可能とした構成としてある。
【手続補正３】
【補正対象書類名】明細書
【補正対象項目名】００２２
【補正方法】変更
【補正の内容】
【００２２】
このとき、本実施形態の養生シート１ａは、凹凸シート部２の四方に薄肉フィルム部３を設けなくても、複数の養生シート１ａを、その端縁側を適宜重ねてコンクリート打設面に敷設していったり、薄肉フィルム部３が設けられていない辺に別のフィルム材を重ねて敷設したりすることで、凹凸シート部２とコンクリート打設面との間に形成される空隙を気密にすることもできる。すなわち、薄肉フィルム部３は、薄肉フィル部３が設けられた端縁に沿って、凹凸シート部２とコンクリート打設面との間に形成される空隙を気密にすることができるようになっていればよい。